(57)【要約】【課題】運動性の改善とデザインの低下の抑制を両立させることができるスラックスの提供を図る。【解決手段】下腹部から脚部にかけての前身生地１１と、臀部から脚部にかけての後身生地２１とを縫製したスラックスにおいて、股部の前身生地１１と後身生地２１との間に、少なくとも横方向への伸縮性の高い内股ストレッチ生地３１を配置する。内股ストレッチ生地３１は、少なくとも後身生地２１に大腿部から臀部にかけて切除部を設けて、切除部に該当する部分に配置する。前身生地１１と内股ストレッチ生地３１との間の前縫合線４１は直線状とすることが望ましい。【選択図】図１
0003216080.tif 000002
【実用新案登録請求の範囲】
【請求項１】
下腹部から脚部にかけての前身生地と、臀部から脚部にかけての後身生地とを縫製したスラックスにおいて、
股部の前記前身生地と前記後身生地との間に伸縮性の高い内股ストレッチ生地が配置され、
前記内股ストレッチ生地は、前記前身生地及び前記後身生地に比して少なくとも横方向の伸縮性が高く、屈伸の際に前記内股ストレッチ生地が伸びることによって、屈伸時の生地のつっぱりを緩和するよう構成されたことを特徴とする伸縮性スラックス。
【請求項２】
前記後身生地は大腿部から臀部にかけて切除部を備える一方前記前身生地は切除部を備えておらず、
前記切除部に前記内股ストレッチ生地が配置され、
直立状態で、前記内股ストレッチ生地は、後ろから見た時よりも前から見た時の方が見えにくいものであることを特徴とする請求項１に記載の伸縮性スラックス。
【請求項３】
前記前身生地と前記内股ストレッチ生地との間の縫合線が直線状であることを特徴とする請求項２に記載の伸縮性スラックス。
【考案の詳細な説明】
【技術分野】
【０００１】
本考案は、スラックスに関するものであり、特に運動量の大きい学生が着用するのに適したスラックスに関するものである。
【背景技術】
【０００２】
屈伸などの下半身の運動を行う場合、股の生地が突っ張ってしまって、運動性が低下することや、スポーツウェアなどでは全体にニット生地を用いることで伸縮性を高めた下衣も広く用いられている。ところが、学生服やビジネスウェアではウールなどの織物地が主に用いられているため、その伸縮性を向上させることが困難であった。
【０００３】
そのため、特許文献１にあっては、腰部に対応する部位から、股関節の外側に対応する部位を通って、膝の近くであって大腿部の内側に対応する部位である膝近傍内側部位までいたる部分が、所定幅の螺旋状の伸縮素材で構成されているズボンが提案されている。また特許文献２にあっては、緯糸方向の伸び抵抗力が強い領域と緯糸方向の伸び抵抗力が前記強い領域の伸び抵抗力よりも弱い領域とを含む緯二重織物を表地に使用した、少なくともズボンの横方向に伸縮性を有するズボンであって、特定の糸使いをなすことが提案されている。
【０００４】
ところがこれらの特許文献にあっては、スラックスの特定の部位について、前身生地と後身生地のほぼ全周にわたって、他の部分とは異なる伸縮性の高い生地を用いるもので、伸縮性の高い生地によってスラックスの外観を損なうなど、通常のスラックスと異なる印象を着用者本人や第三者に与えてしまう恐れがある。
【０００５】
特許文献３にあっては、前身頃の股内側側縁と後身頃の股内側側縁の間のスペースに襠部を介在させるもので、前身頃と後身頃を左右にずらせて、ずらせた幅よりも幅の広い襠部を設けたズボンが開示されている。この提案にあっては、前身頃と後身頃を左右にずらせて、ずらせた幅よりも幅の広い襠部を設けるものであるため、襠部が伸縮性のない生地であったとしても幅の広い襠部の分だけ、屈伸などの下半身の運動時に余裕を生じさせることができる反面、最近のスラックスのような細幅の脚部を備えたものでは、スラックス全体のデザインと一致しないなど、デザインの低下の恐れや、適合するデザインが限られるという課題がある。
【先行技術文献】
【特許文献】
【０００６】
【特許文献１】特許第5637639号公報
【特許文献２】特許第5016739号公報
【特許文献３】特許第5337443号公報
【考案の概要】
【考案が解決しようとする課題】
【０００７】
本考案の目的は、運動性の改善とデザインの低下の抑制を両立させることができるスラックスの提供を図ることを目的とする。
【課題を解決するための手段】
【０００８】
本考案は、下腹部から脚部にかけての前身生地と、臀部から脚部にかけての後身生地とを縫製したスラックスにおいて、股部の前記前身生地と前記後身生地との間に伸縮性の高い内股ストレッチ生地が配置されたものを提供することによって上記の課題を解決する。
前記内股ストレッチ生地は、前記前身生地及び前記後身生地に比して少なくとも横方向の伸縮性が高く、屈伸の際に前記内股ストレッチ生地が伸びることによって、屈伸時の生地のつっぱりを緩和することができる。
そして、前記後身生地は大腿部から臀部にかけて切除部を備える一方前記前身生地は切除部を備えておらず、前記切除部に前記内股ストレッチ生地が配置されたものとすることによって、直立状態で、前記内股ストレッチ生地は、後ろから見た時よりも前から見た時の方が見えにくいものとして実施することができる。これによって、比較的目立ちやすい正面の形態を通常のスラックスと大差のないものとすることができる。
さらに、前記前身生地と前記内股ストレッチ生地との間の縫合線が直線状とすることによって、スラックス全体の形態についても標準的なスラックスと遜色の無いものとすることができるとともに、このような良好な形態を保ちつつ運動機能の向上を図ることができる。
【考案の効果】
【０００９】
本考案は、運動性の改善とデザインの低下の抑制を両立させることができたスラックスの提供を図ることができたものである。
【図面の簡単な説明】
【００１０】
【図１】本考案の実施の形態に係るスラックスを示すもので（Ａ）は正面図、（Ｂ）は背面図である。
【図２】同スラックスの型紙図。
【図３】同スラックスの左右一方の脚部について、前後中央の折り目線を左右に配置して平置きした状態を示す要部説明図。
【考案を実施するための形態】
【００１１】
（全体の形態）
この実施の形態に係るスラックスは、その全体形状は標準的なスラックスと実質的に同一であり、胴部と脚部を備えるもので、下腹部から脚部にかけての前身生地１１と、臀部から脚部にかけての後身生地２１とが、互いの左右両側で縫合されている。
前身生地１１と後身生地２１は、ウールや合成繊維や混紡糸などで織成された織物地によって構成されている。
【００１２】
（内股ストレッチ生地）
標準的なスラックスと異なる点は、股部の前身生地１１と後身生地２１との間に伸縮性の高い内股ストレッチ生地３１が配置されている点である。この内股ストレッチ生地３１は、前身生地１１及び後身生地２１に比して少なくとも横方向の伸縮性が高いものである。具体的には、内股ストレッチ生地は、横方向（脚の伸びる方向と直交する方向）の伸び率が20〜40％であることが、運動性の改善とデザイン性の維持の観点から好ましい。対応できる生地の種類には特に制限はないが、実施に際しては、ニット素材（トリコット）などのストレッチ性の高い生地を選択して用いることができる。
【００１３】
（各生地の関係）
内股ストレッチ生地３１は、膝より上の大腿部から臀部にかけて配置することが適当であり、前身生地１１と後身生地２１との間に配置される。この実施の形態では、後身生地２１に、大腿部から臀部にかけて切除部６１（標準的なスラックスにおける後身生地から切除される部分）を備える。一方、前身生地１１は切除部を備えておらず、標準的なスラックスにおける前ろ身頃生地と同一の形態となっている。内股ストレッチ生地３１は、切除部６１を埋めるように配置されるもので、完成状態のスラックスでは、三種の生地１１、２１及び３１によって標準的なスラックスと同一の形態に縫製される。これによって前身生地１１と内股ストレッチ生地３１との間の前縫合線４１は、標準的なスラックスの前身生地と後身生地との縫合線と同様に、直線状となる（図３参照）。他方、後身生地２１と内股ストレッチ生地３１との間の後縫合線５１は、股から下方に前縫合線４１とほぼ平行に伸びて、その下端付近で傾斜して前縫合線４１と交わるが、その形状は全体に傾斜したり湾曲したものとしたりするなど適宜変更して実施することができる。
また左右の脚部の内股ストレッチ生地３１同士の上端は、胴部下端で互いにつながっていることが望ましいが、内股ストレッチ生地３１を左右の脚部にのみ設けて胴部下端ではつなげずに実施しても構わない。
【００１４】
（外観形状）
このスラックスは、直立状態で、内股ストレッチ生地３１は、後ろから見た時よりも前から見た時の方が見えにくいものとなる。具体的には、図１（Ａ）に示すように、正面からはほとんど見えることがなく、前縫合線４１がかろうじて見える程度であって、標準的なスラックスの表面形状と実質的な外観が同じ形状を維持することができる。他方、図１（Ｂ）に示すように、背面からは内股ストレッチ生地３１と後縫合線５１とが見えることにはなるが、臀部の下方と内股のわずかな領域に止まるため、後ろからの外観を大きく損なうことはない。縫製後の内股ストレッチ生地３１の最大幅は５０ｍｍ程度が好ましいが、その幅は運動機能性と外観維持性を考慮して種々変更して実施することも可能である。また、前身生地１１にも僅かな幅の切除部を設けて、その部分にも内股ストレッチ生地を配置することによって、背面から見える内股ストレッチ生地の幅を小さくすることも可能である。
【００１５】
（運動機能性）
以上のようにこの実施の形態に係るスラックスにあっては、少なくとも横方向に伸縮性の高い内股ストレッチ生地３１が配置されていることによって、屈伸などの下半身の運動時に内股ストレッチ生地３１が伸びることで、生地の突っ張りを抑制し、運動機能を向上させることができる。他方、内股ストレッチ生地３１は内股を中心に配置されているため、標準的なスラックスとほとんど変わらない外観デザインを維持することができるものである。
【符号の説明】
【００１６】
１１  前身生地
２１  後身生地
３１  内股ストレッチ生地
４１  前縫合線
５１  後縫合線
６１  切除部
【図１】
0003216080.tif 000003
【図２】
0003216080.tif 000004
【図３】
0003216080.tif 000005